(57)【要約】      （修正有）【課題】軽量であって取り扱いが容易であり、かつ、物品を収容するときには、箱型容器の蓋部材を広く開放した状態に保持しておくことができる、より改良された包装用補助具を提供する。【解決手段】容器本体１０の上方開放部に折り畳み自在な蓋部材１１を一体に有する箱型容器Ｄとともに用いる包装用補助具Ａは、容器本体１０内に入り込む第１の部分Ａ１と、第１の部分Ａ１の上端部から外広がり状に拡開する第２の部分Ａ２とで構成される。第１の部分Ａ１と第２の部分Ａ２とは共に適数本の骨材１〜４からなるフレームＢによって形状が規定されており、フレームＢの内側面は、シート材Ｃによって覆われている。【選択図】図３
0003185451.tif 000002
【実用新案登録請求の範囲】
【請求項１】
容器本体の上方開放部に折り畳み自在な蓋部材を一体に有する箱型容器とともに用いる包装用補助具であって、容器本体内に入り込む第１の部分と、前記第１の部分の上端部から外広がり状に拡開する第２の部分とで構成され、前記第１の部分と第２の部分とは共に適数本の骨材からなるフレームによって形状が規定されており、該フレームの内側面はシート材によって覆われていることを特徴とする包装用補助具。
【請求項２】
前記第１の部分は直方体形状であり、前記第２の部分は四角錐台形状であることを特徴とする請求項１に記載の包装用補助具。
【請求項３】
前記シート材は前記フレームに対して着脱自在とされていることを特徴とする請求項１または２に記載の包装用補助具。
【請求項４】
前記フレームを構成する骨材は直径２〜６ｍｍの金属線材であり、前記シート材は樹脂シートであることを特徴とする請求項１〜３のいずれか一項に記載の包装用補助具。
【考案の詳細な説明】
【技術分野】
【０００１】
本考案は、包装用補助具に関する。
【背景技術】
【０００２】
段ボール等で作られた箱型容器に種々の物品を収容し、蓋をした後、保管や物流に供することが行われている。箱型容器内に物品を収容するときの作業を容易化するために、いくつかの補助具が特許文献１または２に提案されている。
【０００３】
特許文献１に記載の包装用補助具（ガイドシューター）は、収納容器にシリコン梱包物を収納する際に使用されるものであり、表面の摩擦係数が小さい硬質の樹脂、例えば、ポリテトラフルオロエチレン（ＰＴＦＥ）の厚さ２〜３ｍｍ程度の板材を連結することによって構成されており、収納用空間内に挿入される挿入枠部と、この挿入枠部の上端から上方に延びる複数のガイド片とで構成されている。
【０００４】
特許文献２に記載の包装用補助具（ガイドシューター）は、やはりシリコン材料を袋詰めした状態で箱詰めする際に使用されるものであり、上方を開放状態とした箱体の開口部に配置可能とされ、該開口部の少なくとも２辺に沿う複数のアーム部により屈曲状態の支持体と、該支持体の各アーム部に回転自在に支持されるとともに該アーム部から１枚ずつ垂れ下げられ、前記開口部を構成する側壁の上端部を覆うことが可能な柔軟材料からなるシート部材とを備えたことを特徴とする。
【先行技術文献】
【特許文献】
【０００５】
【特許文献１】特開２０１１−５１５９１号公報
【特許文献２】特許第５１１９９８４号公報
【考案の概要】
【考案が解決しようとする課題】
【０００６】
近年、カット野菜を工場で袋詰めとし、袋詰めされたカット野菜を段ボール箱に包装して出荷することが行われる。袋詰めされたカット野菜は傷が付きやすいことから、人の手によって１個ずつ段ボール箱に収容するのが一般的であるが、その際に、段ボール箱の蓋部分を広く開いた状態に保持しておくことが必要であり、一方の手で蓋部分を開いた状態に保持しながら、他方の手で袋詰めされたカット野菜を段ボール箱内に入れ込むようにしており、高い作業効率が得られていない。
【０００７】
特許文献１に記載される形態の包装用補助具（ガイドシューター）を用いることが考えられるが、厚さ２〜３ｍｍ程度のポリテトラフルオロエチレン（ＰＴＦＥ）の板材を連結することにより構成された包装用補助具は重いものであり、１つの段ボール箱への収納が終わった後で、次の段ボール箱へ包装用補助具を移し替える作業が容易でなく、カット野菜工場で使用するには、なお改善の余地がある。
【０００８】
特許文献２に記載される形態の包装用補助具（ガイドシューター）は、支持体と該アーム部から垂れ下げられたシート部材とで構成されており、軽量化が図られているが、段ボール箱に一体に形成されている蓋部分を広く開いた状態に保持しておくための手段を備えていないので、円滑な箱詰めを行うには、蓋部分を広く開いた状態に保持しておくための何らかの手段を別途必要とし、やはり、カット野菜工場で使用するには、なお改善の余地がある。
【０００９】
本考案は、上記のような事情に鑑みてなされたものであり、軽量であることから取り扱いが容易であり、かつ、物品を収容するときには、段ボール箱等の箱型容器に一体に備えられる蓋部材を広く開放した状態に保持しておくことも可能な、より改良された包装用補助具を提供することを課題とする。
【課題を解決するための手段】
【００１０】
本考案による包装用補助具は、容器本体の上方開放部に折り畳み自在な蓋部材を一体に有する箱型容器とともに用いる包装用補助具であって、容器本体内に入り込む第１の部分と、前記第１の部分の上端部から外広がり状に拡開する第２の部分とで構成され、前記第１の部分と第２の部分とは共に適数本の骨材からなるフレームによって形状が規定されており、該フレームの内側面はシート材によって覆われていることを特徴とする。
【００１１】
本考案による包装用補助具は、適数本の骨材からなるフレームと、該フレームの内側面を覆うシート材によって構成されており、全体を板状の樹脂材等で形成するものと比較して軽量である。さらに、前記第１の部分の上端部から外広がり状に拡開する第２の部分を有することで、容器本体の上方開放部に折り畳み自在になっている蓋部材を、物品の箱詰め作業時には、確実に開いた状態に維持しておくことができ、物品の箱詰め作業はきわめて容易となる。
【００１２】
また、物品を容器本体内に収容するときに、物品が接することとなる面、すなわち、前記フレームの内側面はシート材によって覆われており、物品がフレームを構成する骨材と直接に接することはないので、物品の移動が円滑となると同時に、骨材によって物品に傷が付くこともない。冷蔵保管されている袋詰めされたカット野菜はその袋が破れやすいこともあり、本考案による包装用補助具を、袋詰めされたカット野菜を箱型容器へ収納するときに用いる場合に、上記のことは、実用上、特に有効な作用効果となる。
【００１３】
本考案による包装用補助具の一形態では、前記第１の部分は直方体形状であり、前記第２の部分は四角錐台形状であることを特徴とする。この態様の包装用補助具は、直方体状の箱型容器と共に用いるのに特に適している。この場合に、前記第１の部分の大きさは、直方体状の箱型容器の物品収容空間を形成する容器本体部分の周側壁の内周面にほぼ接する大きさであることが、物品収容時の安定性を確保する点から好ましい。また、前記第１の部分の深さは、容器本体部分の深さにほぼ等しいことが望ましいが、より浅くても差し支えない。
【００１４】
本考案による包装用補助具の一形態では、前記シート材は前記フレームに対して着脱自在であることを特徴とする。この態様では、シート材に汚れが付いたときなどに、取り外すことで容易に洗浄することができ、また傷が付いたときにも新しいものと交換することができる。着脱自在とするための手段は任意であるが、面ファスナーは、物品が移動するシート材の内側面に障害となるような凹凸等を形成することなくシート材に取り付けることができるので、好ましい態様となる。
【００１５】
本考案による包装用補助具において、フレームを構成する骨材およびシート材の種類は特に制限はなく、適宜選択して用いることができる。骨材としては、強度とコストの双方の観点から金属線材が有効であり、シート材には、強度とコストの点、さらに表面の平滑性の観点から、樹脂シートが好適である。樹脂材料としては、ポリエチレン系樹脂、ポリアミド系樹脂などが例示できる。骨材が金属線材、特に針金である場合に、その直径が２〜５ｍｍ程度のものが、強度との兼ね合いで好適である。
【考案の効果】
【００１６】
本考案によれば、軽量であることから取り扱いが容易であり、かつ、物品を箱型容器内に収容するときに、段ボール箱等の箱型容器に一体に備えられる蓋部材を広く開放した状態に保持しておくことが可能な、より改良された包装用補助具が提供される。本考案による包装用補助具を用いることにより、例えば、カット野菜を袋詰めしたような物品を段ボール箱へ箱詰めする作業を、高効率化することができる。
【図面の簡単な説明】
【００１７】
【図１】本考案による包装用補助具を構成するフレームの一例を示す図。
【図２】図１に示すフレームにシート材を取り付けて形成された本考案による包装用補助具の一例を示す図。
【図３】本考案による包装用補助具を箱型容器内に配置するときの状態を説明する図。
【考案を実施するための形態】
【００１８】
以下、本考案による包装用補助具の一実施の形態を図面を参照して説明する。
図１は、本考案による包装用補助具Ａを構成するフレームＢの一例を示している。この例おいて、フレームＢは、直径４ｍｍ程度の樹脂被覆金属線材で作られており、同じ寸法の長方形である下枠１と中間枠２、下枠１と中間枠２と相似形状であるが縦横の寸法がそれよりも大きい上枠３とを有し、下枠１と中間枠２と上枠３とは、適数本の縦線材４によって、上下方向に所定の間隔を保って一体に連接されている。前記各縦線材４は、垂直部５と該垂直部５の上端から所要の角度で折り曲がった傾斜部６とで構成される。前記傾斜角度は３０〜６０度程度の範囲であることが、物品の入れやすさの観点から好ましい。なお、前記下枠１と中間枠２と上枠３および縦線材４は、本考案でいう「骨材」に相当する部材である。
【００１９】
下枠１と中間枠２と上枠３と縦線材４とを一体に連接する手段は、連接によって形成されたフレームＢが所期の姿勢を維持できるだけの連接強度を持つことを条件に、任意の手段であってよく、線材（骨材）の交差部を、熱溶着する手段、粘着テープや接着テープで押さえ付ける手段、あるいは糸で括り付ける手段などのいずれかによって、またはそれらを適宜組み合わせるとによって行えばよい。
【００２０】
各縦線材４の前記垂直部５の長さは同じであり、また、垂直部５に対する傾斜部６の曲がり角度も同じである。この例では、４５度の角度で折曲している。図示の例では、下枠１と中間枠２と上枠３の角部には４本の縦線材４ａが固定されており、それぞれの短辺にはそのほぼ中央に１本の縦線材４ｂが固定されており、それぞれ長辺には２本の縦線材４ｂが固定されている。４本の縦線材４ａは同じ形状であり、計６本の縦線材４ｂは同じ形状である。縦線材４ａの傾斜部６の長さは縦線材４ｂの傾斜部６の長さよりも長くなっている。
【００２１】
それにより、図示のフレームＢでは、下枠１と中間枠２とが縦線材４の垂直部５によって一体に固定された直方体部分Ｂ１と、中間枠２と上枠３とが縦線材４の傾斜部６によって一体に固定された上広がり状の四角錐台形状Ｂ２であって、前記直方体部分Ｂ１の上部に一体に連接された四角錐台形状Ｂ２とからなる構成を取ることができる。
【００２２】
上記フレームＢの内側面に対して、好ましくは樹脂シートからなるシート材Ｃが取り付けられる。シート材Ｃは、フレームＢの内側面の形状に合わせて裁断した材料を縫製することで形成することができる。シート材Ｃの下端部、すなわち下枠１側に位置する領域は折り返し部を有しており、そこに図示しない面ファスナーが取り付けられている。また、シート材Ｃの上端部、すなわち上枠３側に位置する領域も折り返し部を有しており、そこに図示しない面ファスナーが取り付けられている。上記のシート材ＣをフレームＢの内側面に配置し、上下の折り返し部を下枠１および上枠３を包み込むようにして外側に向けて折り返し、面ファスナーで固定することで、図２に示す本考案による包装用補助具Ａが完成する。
【００２３】
図３に示すように、図示する本考案による包装用補助具Ａは、直方体形状である第１の部分Ａ１と、第１の部分Ａ１の上端部から外広がり状に拡開する第２の部分Ａ２とで構成されており、第１の部分Ａ１と第２の部分Ａ２とは共に骨材（下枠１と中間枠２と上枠３と縦線材４）からなるフレームＢによって形状が規定されており、フレームＢの内側面はシート材Ｃによって覆われている。
【００２４】
図３に示すように、上記の包装用補助具Ａは、容器本体１０の上方開放部に折り畳み自在な蓋部材１１を一体に有する箱型容器Ｄとともに用いられる。好ましくは、箱型容器Ｄとして、その容器本体１０の周囲壁の内側面の寸法が包装用補助具Ａの第１の部分Ａ１の外側面の寸法とほぼ等しいか、わずかに大きい箱型容器Ｄを用いる。また、容器本体１０の深さは包装用補助具Ａの第１の部分Ａ１の高さにほぼ等しいことが、安定性の観点からは好ましいが、包装用補助具Ａの第１の部分Ａ１の高さより低くても高くても所期の目的は達成される。
【００２５】
使用に際して、作業者は、図３に示すように、箱型容器Ｄの蓋部材１１を開いた姿勢としておき、その上から包装用補助具Ａの第１の部分Ａ１を容器本体１０内に落とし込む。落とし込んだ状態では、箱型容器Ｄの蓋部材１１は包装用補助具Ａの第２の部分Ａ２の裏面によって抑えこまれた状態となり、その位置で自由移動が抑制される。そのために、作業者は、蓋部材１１に邪魔されることなく、包装用補助具Ａの第２の部分Ａ２の内側面を利用して、円滑に物品を容器本体１０内に収納することが可能となる。所定数の物品を収納した後、包装用補助具Ａを持ち上げて除去し、次の箱型容器Ｄに包装用補助具Ａを移し替えるととともに、物品収納後の箱型容器Ｄに対しては蓋部材１１を閉じる作業を行う。本考案による包装用補助具Ａは軽量であることから、移し替えの作業などは容易に行うことができ、また、包装用補助具Ａの物品が接することとなる面はすべてシート材Ｃで被覆されているので、物品に傷が付くこともない。そのために、物品の箱詰め作業の効率は大きく向上する。また、シート材１０が汚れたような場合には、面ファスフーを開くことで、容易に新しいものと交換することができる。
【００２６】
図示しないが、フレームＢを構成する骨材のうち、縦線材４は、図示されるもののように、連続した一本の骨材で構成されていてもよく、分離した部材によって垂直部５と傾斜部６とが構成されていてもよい。後者の場合には、垂直部５と傾斜部６の周方向での固定位置が異なっていてもよい。さらに、図示の例では、平面視で長方形である箱型容器と共に用いることを前提に、下枠１と中間枠２と上枠３はすべて平面視で長方形のものを示したが、平面視形状が円形、楕円形、多角形のような箱型容器と共に使用する場合には、少なくとも下枠１と中間枠２の平面視形状は、箱型容器の平面視形状に合わせた形状とされる。
【符号の説明】
【００２７】
Ａ…包装用補助具、
Ａ１…包装用補助具の第１の部分、
Ａ２…包装用補助具の第２の部分、
Ｂ…骨材からなるフレーム、
Ｃ…シート材、
Ｄ…箱型容器、
１…下枠、
２…中間枠、
３…上枠、
４…縦線材、
５…縦線材の垂直部、
６…縦線材の傾斜部、
１０…箱型容器の容器本体、
１１…箱型容器の蓋部材。
【図１】
0003185451.tif 000003
【図２】
0003185451.tif 000004
【図３】
0003185451.tif 000005